(57)【特許請求の範囲】
【請求項１】
データストリーム伝送方法であって、
ユーザ設備との間の第一ネットワークリンク及び第二ネットワークリンクを形成し、前記第一ネットワークは、前記第二ネットワークとは異なり；
前記第一ネットワークリンクと前記第二ネットワークリンクとの関連付けを行い；及び
前記ユーザ設備により前記第一ネットワークリンク及び前記第二ネットワークリンクに分配されて伝送されている同一データストリームを受信して統合する、ことを含み、
前記受信して統合することは、
前記ユーザ設備により前記第一ネットワークリンク及び第二ネットワークリンクに分配される無線リンク制御データパケットを受信し；及び
MAC層において、前記第一ネットワークリンク及び前記第二ネットワークリンクの再送情報に従って、前記受信した無線リンク制御データパケットを統合する、ことを含み、
前記再送情報は、あるデータパケットの再送回数又は再送の確率を含む方法。
【請求項２】
請求項1記載の方法であって、
前記第一ネットワーク及び前記第二ネットワークは、それぞれ、WLAN及びLTEネットワークである、方法。
【請求項３】
請求項2記載の方法であって、
前記第一ネットワークリンクと前記第二ネットワークリンクとの関連付けを行うことは、
前記第一ネットワークリンクに対応するWLAN  MACアドレス、及び、前記第二ネットワークリンクに対応するC-RNTI、セルIDに基づいて、前記第一ネットワークリンクと前記第二ネットワークリンクとの関連付けを行うこと、又は
前記第一ネットワークリンクに対応するユーザ標識、及び、前記第二ネットワークリンクに対応するユーザ標識に基づいて、前記第一ネットワークリンクと前記第二ネットワークリンクとの関連付けを行うことを含み、
前記第一ネットワークリンクに対応するユーザ標識は、前記第二ネットワークリンクに対応するユーザ標識とは同じである、方法。
【請求項４】
請求項1〜3のいずれか１項記載の方法であって、
前記ユーザ設備と、スケジューリングポリシーの協議を行うことを更に含み、
前記ユーザ設備と、スケジューリングポリシーの協議を行うことは、
前記ユーザ設備が送信したスケジューリングポリシーの協議の要求メッセージを受信し；及び
ポリシー命令を前記ユーザ設備に返すことを含み、
前記ポリシー命令には、スケジューリングポリシーが携帯されている、方法。
【請求項５】
データストリーム伝送方法であって、
ユーザ設備が、ネットワーク側との間の第一ネットワークリンク及び第二ネットワークリンクを形成し、前記第一ネットワークは、前記第二ネットワークとは異なり；
前記ユーザ設備が、前記第一ネットワークリンクと、前記第二ネットワークリンクとの関連付けを行い；及び
前記ユーザ設備が、スケジューリングアルゴリズムに従って、同一データストリームを前記第一ネットワークリンク及び前記第二ネットワークリンクに分配して伝送させる、ことを含み、
前記分配して伝送させることは、前記ユーザ設備が、MAC層において、前記第一ネットワークリンク及び前記第二ネットワークリンクの再送情報に従って、無線リンク制御データパケットを前記第一ネットワークリンク及び前記第二ネットワークリンクに分配して伝送させる、ことを含み、
前記再送情報は、あるデータパケットの再送回数又は再送の確率を含む方法。
【請求項６】
請求項5記載の方法であって、
前記第一ネットワーク及び前記第二ネットワークは、それぞれ、WLAN及びLTEネットワークである、方法。
【請求項７】
請求項6記載の方法であって、
前記ユーザ設備が、前記第一ネットワークリンクと、前記第二ネットワークリンクとの関連付けを行うことは、
前記ユーザ設備が、前記第一ネットワークリンクに対応するWLAN  MACアドレス、及び、前記第二ネットワークリンクに対応するC-RNTI、セルIDに基づいて、前記第一ネットワークリンクと、前記第二ネットワークリンクとの関連付けを行うこと、又は
前記ユーザ設備が、前記第一ネットワークリンクに対応するユーザ標識、及び、前記第二ネットワークリンクに対応するユーザ標識に基づいて、前記第一ネットワークリンクと、前記第二ネットワークリンクとの関連付けを行うことを含み、
前記第一ネットワークリンクに対応するユーザ標識は、前記第二ネットワークリンクに対応するユーザ標識とは同じである、方法。
【請求項８】
請求項5〜7のいずれか１項記載の方法であって、
前記ユーザ設備が、ネットワーク側と、スケジューリングポリシーの協議を行うことを更に含み、
前記ユーザ設備が、スケジューリングアルゴリズムに従って、同一データストリームを前記第一ネットワークリンク及び前記第二ネットワークリンクに分配して伝送させることは、
前記ユーザ設備が、協議結果に基づいて、スケジューリングアルゴリズムに従って、同一データストリームを前記第一ネットワークリンク及び前記第二ネットワークリンクに分配して伝送させることを含む、方法。
【請求項９】
請求項8記載の方法であって、
前記ユーザ設備が、ネットワーク側と、スケジューリングポリシーの協議を行うことは、
前記ユーザ設備が、スケジューリングポリシーの協議の要求メッセージをネットワーク側に送信し；
前記ユーザ設備が、ネットワーク側から返されたポリシー命令を受信し、前記ポリシー命令には、スケジューリングポリシーが携帯されており；及び
前記ユーザ設備が、前記スケジューリングポリシーを取得し、ネットワーク側にスケジューリングポリシーの協議の確認メッセージを送信することを含む、方法。
【請求項１０】
ネットワーク設備であって、
ユーザ設備との間の第一ネットワークリンクを形成するように構成された第一リンクユニット；
前記ユーザ設備との間の第二ネットワークリンクを形成するように構成された第二リンクユニットであって、前記第一ネットワークは、前記第二ネットワークとは異なる、第二リンクユニット；
前記第一ネットワークリンクと、前記第二ネットワークリンクとの関連付けを行うように構成された関連付けユニット；及び
MAC層において、前記第一ネットワークリンク及び前記第二ネットワークリンクの再送情報に従って、前記ユーザ設備により前記第一ネットワークリンク及び前記第二ネットワークリンクに分配されて伝送されている無線リンク制御データパケットを受信して統合するように構成された処理ユニットを含み、
前記再送情報は、あるデータパケットの再送回数又は再送の確率を含むネットワーク設備。
【請求項１１】
請求項10記載のネットワーク設備であって、
前記第一ネットワーク及び前記第二ネットワークは、それぞれ、WLAN及びLTEネットワークである、ネットワーク設備。
【請求項１２】
請求項11記載のネットワーク設備であって、
前記関連付けユニットは、前記第一ネットワークリンクに対応するWLAN  MACアドレス、及び、前記第二ネットワークリンクに対応するC-RNTI、セルIDに基づいて、前記第一ネットワークリンクと、前記第二ネットワークリンクとの関連付けを行うように構成され、又は、
前記関連付けユニットは、前記第一ネットワークリンクに対応するユーザ標識、及び、前記第二ネットワークリンクに対応するユーザ標識に基づいて、前記第一ネットワークリンクと、前記第二ネットワークリンクとの関連付けを行うように構成され、
前記第一ネットワークリンクに対応するユーザ標識は、前記第二ネットワークリンクに対応するユーザ標識とは同じである、ネットワーク設備。
【請求項１３】
請求項10〜12のいずれか１項記載のネットワーク設備であって、
協議ユニットを更に含み、
前記協議ユニットは、前記ユーザ設備が送信したスケジューリングポリシーの協議の要求メッセージを受信し、ポリシー命令を前記ユーザ設備に返すように構成され、
前記ポリシー命令には、スケジューリングポリシーが携帯されている、ネットワーク設備。
【請求項１４】
ユーザ設備であって、
ネットワーク側との間の第一ネットワークリンクを形成するように構成された第一リンクユニット；
基地局との間の第二ネットワークリンクを形成するように構成された第二リンクユニットであって、前記第一ネットワークは、前記第二ネットワークとは異なる、第二リンクユニット；
前記第一ネットワークリンクと、前記第二ネットワークリンクとの関連付けを行うように構成された関連付けユニット；及び
MAC層において、前記第一ネットワークリンク及び前記第二ネットワークリンクの再送情報に従って、無線リンク制御データパケットを前記第一ネットワークリンク及び前記第二ネットワークリンクに分配して伝送させるように構成された処理ユニットを含み、
前記再送情報は、あるデータパケットの再送回数又は再送の確率を含むユーザ設備。
【請求項１５】
請求項14記載のユーザ設備であって、
前記第一ネットワーク及び前記第二ネットワークは、それぞれ、WLAN及びLTEネットワークである、ユーザ設備。
【請求項１６】
請求項15記載のユーザ設備であって、
前記関連付けユニットは、前記第一ネットワークリンクに対応するWLAN  MACアドレス、及び、前記第二ネットワークリンクに対応するC-RNTI、セルIDに基づいて、前記第一ネットワークリンクと、前記第二ネットワークリンクとの関連付けを行うように構成され、又は、
前記関連付けユニットは、前記第一ネットワークリンクに対応するユーザ標識、及び、前記第二ネットワークリンクに対応するユーザ標識に基づいて、前記第一ネットワークリンクと、前記第二ネットワークリンクとの関連付けを行うように構成され、
前記第一ネットワークリンクに対応するユーザ標識は、前記第二ネットワークリンクに対応するユーザ標識とは同じである、ユーザ設備。
【請求項１７】
請求項14〜16のいずれか１項記載のユーザ設備であって、
ネットワーク側と、スケジューリングポリシーの協議を行うように構成された協議ユニットを更に含み；
前記処理ユニットは、前記協議ユニットの協議結果に基づいて、スケジューリングアルゴリズムに従って、同一データストリームを前記第一ネットワークリンク及び前記第二ネットワークリンクに分配して伝送させるように構成される、ユーザ設備。
【請求項１８】
請求項17記載のユーザ設備であって、
前記協議ユニットは、スケジューリングポリシーの協議の要求メッセージをネットワーク側に送信し、ネットワーク側から返されたポリシー命令を受信し、前記ポリシー命令には、スケジューリングポリシーが携帯されており；及び、前記スケジューリングポリシーを取得し、ネットワーク側にスケジューリングポリシーの協議の確認メッセージを送信するように構成される、ユーザ設備。
【請求項１９】
データストリーム伝送システムであって、
請求項10〜13のいずれか１項記載のネットワーク設備と、請求項14〜18のいずれか１項記載のユーザ設備と、を含む、システム。
【請求項２０】
コンピュータに、請求項1〜9のうちの何れか1項に記載の方法を実行させるためのプログラムを記録したコンピュータ読み取り可能な記録媒体。
【請求項２１】
コンピュータに、請求項1〜9のうちの何れか1項に記載の方法を実行させるためのプログラム。
【発明の詳細な説明】
【技術分野】
【０００１】
本願は、2011年5月27日に中国特許局に提出した、出願番号が201110141992.6である、発明の名称が「データストリーム伝送方法及び関連設備、システム」である中国特許出願の優先権を主張し、その全部の内容は、参照することにより、本願に援用する。
【０００２】
本発明は、通信技術分野に関し、具体的に、データストリーム伝送方法及び関連設備、システムに関する。
【背景技術】
【０００３】
無線インターフェースのスループット率を向上させるために、今のところ、3GPP（The3rd  Generation  Partnership  Project、3GPP)技術では、WLAN(Wireless  Local  Area  Networks、WLAN)及びLTE(Long  Term  Evolution、LTE)ネットワークを用いて、データストリームの混合伝送を行う方法が提案されいる。そのうち、該方法の実現は、図1に示すシステムを参考することができ、その具体的なプロセスは、次の通りである。
【０００４】
第一、LTEネットワーク及びWLANネットワークをそれぞれ形成する。そのうち、主に、基地局（eNB)、サービングゲートウェイ（Serving  Gateway、SGW)、アクセスポイント（Access  Point、AP)、アクセスコントローラ（Access  Controller、AC)、WLANアクセスゲートウェイ（WLAN  Access  Gateway、WAG)、パケットデータゲートウェイ（Packet  Data  Gateway、PDG)、及び認証（authorization）−承認（authorization）−アカウンティング（AAA)サーバ、ホーム加入者サーバ（Home  Subscriber  Server、HSS)、パケットデータネットワークゲートウェイ（PDN  Gateway、PGW)などを含む。
【０００５】
第二、ユーザ設備(User  Equipment、UE)がLTEネットワーク及びWLANネットワークにアクセスする。そのうち、UEのLTEネットワーク及びWLANネットワークにおけるアクセスは、互いに独立したものであり、即ち、UEは、WLANネットワークが存在するかどうかにもかかわらず、先にLTEネットワークにアクセスすることができ、又は、LTEネットワークが存在するかどうかにもかかわらず、先にWLANネットワークにアクセスすることができる。そのうち、WLANネットワーク及びLTEネットワークに伝送のデータストリームは全て、PGWを経由して出され、言い換えると、PGWは、アンカー（Anchor)ノードとされている。
【０００６】
第三、WLANネットワーク及びLTEネットワークを用いてデータストリームの混合伝送を行う時に、一部のデータストリームは、LTEネットワークにおいて伝送され、他の一部のデータストリームは、WLANネットワークにおいて伝送され、これにより、分配の機能を果たし、無線インターフェースのスループット率を向上させる目的を達成することができる。
【０００７】
上述の方法では、確定されている某データストリームについて、LTEネットワーク又はWLANネットワークにおいて伝送されるため、分配の柔軟性が不足している。また、確定されている某データストリームは、一つのみのネットワークにおいて伝送しかできない。よって、該データストリームにパケット紛失が発生すれば、回復メカニズムが提供されていないため、サービス品質を保証することができない。
【発明の概要】
【発明が解決しようとする課題】
【０００８】
上述の欠点に対して、本発明の実施例は、異なるネットワークにおいてデータストリームの混合伝送を行うためのデータストリーム伝送方法及び関連設備、システムを提する。従来案に比べ、本発明の実施例は、より柔軟に分配を行うことができ、且つサービス品質を保証することができる。
【課題を解決するための手段】
【０００９】
そのうち、一側面によれば、データストリーム伝送方法が提供され、それは、
ユーザ設備が、ネットワーク側との間の第一ネットワークリンク及び第二ネットワークリンクを形成し、前記第一ネットワークは、前記第二ネットワークとは異なり；
前記ユーザ設備が、前記第一ネットワークリンクと前記第二ネットワークリンクとの関連付けを行い；及び
前記ユーザ設備が、スケジューリングアルゴリズムに従って、同一データストリームを前記第一ネットワークリンク及び前記第二ネットワークリンクに分配して伝送させる、ことを含む。
【００１０】
そのうち、他の側面によれば、データストリーム伝送方法が提供され、それは、
ユーザ設備と間の第一ネットワークリンク及び第二ネットワークリンクを形成し、前記第一ネットワークは、前記第二ネットワークとは異なり；
前記第一ネットワークリンクと、前記第二ネットワークリンクとの関連付けを行い；及び
前記ユーザ設備により前記第一ネットワークリンク及び前記第二ネットワークリンクに分配されて伝送されている同一データストリームを受信して統合することを含む。
【００１１】
それ相応に、一側面によれば、ユーザ設備が提供され、それは、
ネットワーク側との間の第一ネットワークリンクを形成するための第一リンクユニット；
基地局との間の第二ネットワークリンクを形成するための第二リンクユニットであって、前記第一ネットワークは、前記第二ネットワークとは異なる、第二リンクユニット；
前記第一ネットワークリンクと、前記第二ネットワークリンクとの関連付けを行うための関連付けユニット；及び
スケジューリングアルゴリズムに従って、同一データストリームを前記第一ネットワークリンク及び前記第二ネットワークリンク分配して伝送させるための処理ユニットを含む。
【００１２】
それ相応に、他の側面によれば、ネットワーク設備が提供され、それは、
ユーザ設備との間の第一ネットワークリンクを形成するための第一リンクユニット；
前記ユーザ設備との間の第二ネットワークリンクを形成するための第二リンクユニットであって、前記第一ネットワークは、前記第二ネットワークとは異なる、第二リンクユニット；
前記第一ネットワークリンクと、前記第二ネットワークリンクとの関連付けを行うための関連付けユニット；及び
前記ユーザ設備により前記第一ネットワークリンク及び前記第二ネットワークリンクに分配されて伝送されている同一データストリームを受信して統合するための処理ユニットを含む。
【００１３】
それ相応に、ユーザデータ伝送システムが提供される。それは、上述のユーザ設備及び上述のネットワーク設備を含む。
【００１４】
本発明の実施例では、ユーザ設備とネットワーク側との間に第一ネットワークリンク及び第二ネットワークリンクを形成することができ、そのうち、第一ネットワークは、第二ネットワークとは異なり；及び、第一ネットワークリンクと第二ネットワークリンクとの関連付けを行い、これによって、ユーザ設備がスケジューリングアルゴリズムに従って同一データストリームを第一ネットワークリンク及び第二ネットワークリンクに分配して伝送させることができる。本発明の実施例は、異なるネットワークにおいて同一データストリームの混合伝送を実現することができ、従来案に比べ、本発明の実施例は、より柔軟に分配を行うことができ、特に、某ネットワークリンクのロードが比較的に重く、又は、パケット紛失が比較的に多い時に、同一データストリームを他のネットワークリンクに分配して伝送させることができる。また、本発明の実施例は、某ネットワークリンクにパケット紛失が発生した時に、他のネットワークリンクを用いて再送を行うこともでき、これによって、サービス品質を確実に保証することができる。
【図面の簡単な説明】
【００１５】
本発明の実施例又は従来技術における技術案をより明確に説明するために、以下、実施例又は従来技術についての説明に使用する必要のある図面について筒単に紹介する。
【図１】WLAN及びLTEネットワークを用いてデータストリームの混合伝送を行う従来のシステムを示す図である。
【図２】本発明の実施例におけるデータストリーム伝送方法のフローチャートである。
【図３】本発明の実施例におけるデータストリーム伝送方法のフローチャートである。
【図４】本発明の実施例におけるMAC層のデータストリームの分配を示す図である。
【図５】本発明の実施例におけるIP層のデータストリームの分配を示す図である。
【図６】本発明の実施例におけるデータのLLC層への封入を示す図である。
【図７】本発明の実施例におけるスケジューリングポリシーの協議のフローチャートである。
【図８】本発明の実施例におけるネットワークシナリオを示す図である。
【図９】本発明の実施例におけるネットワークシナリオを示す図である。
【図１０】本発明の実施例におけるユーザ設備の構成を示す図である。
【図１１】本発明の実施例におけるネットワーク設備の構成を示す図である。
【図１２】本発明の実施例におけるデータストリーム伝送システムの構成を示す図である。
【発明を実施するための形態】
【００１６】
以下、本発明の実施例における図面を参照しながら、本発明の実施例における技術案について明確且つ完全に説明する。なお、明らかであるように、説明されている実施例は、本発明の一部の実施例のみであり、全部の実施例ではない。本発明における実施例に基いて当業者が創造性の労働をしない前提で取得した全ての他の実施例は全て、本発明の保護範囲に属する。
【００１７】
本発明の実施例は、データストリーム伝送方法及び関連設備、システムを提供し、これにより、異なるネットワークにおいてデータストリームの混合伝送を行うことができる。従来案に比べ、本発明の実施例は、より柔軟に分配を行い、且つ、サービス品質を保証することができる。以下、それぞれ詳細に説明する。
【００１８】
本発明の実施例では、WLANとは無線インターフェースを経由してデータストリームの混合伝送を行うシステムは、従来の任意の標準の3GPP通信システム、例えば、GSM（登録商標）システム（Global  System  of  Mobile  Communication、GSM)、UMTSシステム(Universal  Mobile  Telecommunications  System、UMTS)、又は、将来の通信システムであってもよい。異なる通信システムは、WLANとはデータストリームの混合伝送を行う時に、異なる通信システムが採用するネットワークノードの機能及び名称は若干の差がある。よって、無線インターフェースにおいて分配を行うネットワークノードの名称は、異なる標準の通信システムに対応し、アンカーノードも、異なる選択を有する。本発明の具体的な実施例では、LTEを例としてデータストリーム伝送方法を説明し、該方法は、例えば、上述に言及の他の通信システムに適用することもできる。
【００１９】
図2を参照する。図2は、本発明の実施例によるデータストリーム伝送方法のフローチャートである。そのうち、該方法は、以下のステップを含んでもよい。
【００２０】
201：UEは、ネットワーク側との間の第一ネットワークリンク及び第二ネットワークリンクを形成し、そのうち、第一ネットワークは、第二ネットワークとは異なる。
【００２１】
例えば、本発明の実施例では、上述の第一ネットワークはWLANであってもよく、上述の第二ネットワークは、LTEネットワークであってもよい。
【００２２】
そのうち、UEは、ネットワーク側との間にWLANリンクを形成する。また、LTEリンクを形成する具体的な実現方法は、当業者にとって周知の技術であるため、本発明の実施例では、これについての説明を省略する。
【００２３】
202：UEは、上述の第一ネットワークリンクと、上述の第二ネットワークリンクとの関連付けを行う。
【００２４】
本発明の実施例では、UEが上述の第一ネットワークリンクと、上述の第二ネットワークリンクとの関連付けを行うこととは、UEが、第一ネットワークリンクと、第二ネットワークリンクとの対応関係を形成することを指す。理解すべきは、このような対応関係は、第一ネットワークリンクと第二ネットワークリンクとの一対一の対応関係であってもよく、又は、第一ネットワークリンクと第二ネットワークリンクとのマッチング関係であってよい。
【００２５】
例えば、上述の第一ネットワークがWLANであり、第二ネットワークがLTEネットワークである場合、UEが上述の第一ネットワークリンクと上述の第二ネットワークリンクとの関連付けを行うための実現方式は、次の通りである。
【００２６】
UEは、第一ネットワークリンクの対応するWLAN  MACアドレス（WLAN  MAC  Address)、及び、第二ネットワークリンクの対応するC-RNTI（Cell  Radio  Network  Temporary  Identifier、C-RNTI)、セルID(Cell  ID)に基いて、上述の第一ネットワークリンクと上述の第二ネットワークリンクとの関連付けを行い、即ち、第一ネットワークリンクと第二ネットワークリンクとの対応関係を形成する。そのうち、UEが形成する、第一ネットワークリンクと第二ネットワークリンクとの対応関系の形式は、第一ネットワークリンクの対応するWLAN  MACアドレスと、第二ネットワークリンクの対応するC-RNTI、Cell  IDとの対応関係であってもよく、言い換えれば、第一ネットワークリンクのWLAN  MACアドレスは、第二ネットワークリンクのC-RNTI、CellIDに対応している。
【００２７】
そのうち、WLANでは、WLAN  MAC  Addressは、一つのWLANリンクを標識するために用いられてもよく、LTEでは、C-RNTI及びCellIDは、一つのLTEリンクを標識するために用いられてもよく、そのうち、C-RNTI及びCellIDは、UEとネットワーク側との間にLTEリンクを形成する時に分配されるものであり、WLAN  MAC  Addressは、UEにより予め構成されてもよい。
【００２８】
例えば、上述の第一ネットワークがWLANであり、第二ネットワークがLTEネットワークである場合、UEが上述の第一ネットワークリンクと上述の第二ネットワークリンクとの関連付けを行うための実現方式は、次の通りであってもよい。
【００２９】
UEは、第一ネットワークリンクの対応するユーザID、及び、第二ネットワークリンクの対応するユーザIDに基いて、上述の第一ネットワークリンクと上述の第二ネットワークリンクとの関連付けを行い、即ち、第一ネットワークリンクと第二ネットワークリンクとの対応関係を形成する。そのうち、UEが形成する、第一ネットワークリンクと第二ネットワークリンクとの対応関係の形式は、UEが、第一ネットワークリンクの対応するユーザID、及び、第二ネットワークリンクの対応するユーザIDを記憶することであってもよく、そのうち、第一ネットワークリンクの対応するユーザIDは、第二ネットワークリンクの対応するユーザIDとは同じである。
【００３０】
本発明の実施例では、統一的ユーザIDを確定してもよく、WLAN及びLTEでは、該統一的ユーザIDを使って、一つのユーザを標識し、該統一的ユーザIDは、例えば、ユーザのIMSI(International  Mobile  Subscriber  Identification  Number、IMSI)であってもよい。
【００３１】
203：UEは、スケジューリングアルゴリズムに従って、同一データストリームを上述の第一ネットワークリンク及び上述の第二ネットワークリンクに分配して伝送させる。
【００３２】
オプションの実施形態として、UEがスケジューリングアルゴリズムに従って同一データストリームを上述の第一ネットワークリンク及び上述の第二ネットワークリンクに分配することは、MAC（Media  Access  Control、MAC)層において分配してもよい。本発明は、後述にこのようなMAC層における分配方式について詳細に紹介する。
【００３３】
他のオプションの実施形態として、UEがスケジューリングアルゴリズムに従って同一データストリームを上述の第一ネットワークリンク及び上述の第二ネットワークリンクに分配することは、IP（Internet  Protocol、IP)層において分配を行ってもよい。本発明は、後述にこのようなIP層における分配の方式について詳細に紹介する。
【００３４】
本発明の実施例では、上述のスケジューリングアルゴリズムは、多種多様であり、本発明の実施例では、後述に具体的な例に基いて紹介する。
【００３５】
オプションの実施形態として、UEは、IP層において同一データストリームに対して分配を行った後に、各IPデータパケットにシリアル番号（Serial  Number、SN)を付け、これにより、ネットワーク側は、IPデータパケットを受信した後に、該IPデータパケットのSNに基いてソートを行うことができる。このようにして、IPデータパケットがLTEリンク及びWLANリンクにおいてそれぞれ伝送されることによる無秩序という問題を回避することができる。
【００３６】
オプションの実施形態として、本発明の実施例では、UEは、ネットワーク側（例えば、基地局eNB)と、スケジューリングポリシーの協議を行うことができる。それ相応に、上述のステップ203では、UEは、協議の結果に基いて、スケジューリングアルゴリズムに従って同一データストリームを上述の第一ネットワークリンク及び上述の第二ネットワークリンクに分配して伝送させることができる。
【００３７】
本発明の実施例では、ネットワーク側が更なる詳細な情報を把握していることを考慮するので、ネットワーク側（例えばeNB)により、スケジューリングポリシーを設定することにし、ネットワーク側は、設定したスケジューリングポリシーをUEに送信し、ネットワーク側は、UEが送信した確認メッセージ（Confirm)を受信した後に、UEとの間のスケジューリングポリシーの協議が成功したと確定することができる。具体的なスケジューリングポリシーの協議プロセスは、次の通りであっても良い。
【００３８】
A：UEは、スケジューリングポリシーの協議の要求メッセージをネットワーク側（例えばeNB)に送信し；
B：UEは、ネットワーク側から返されたポリシー命令を受信し、該ポリシー命令には、スケジューリングポリシーが携帯されており；
C：UEは、スケジューリングポリシーを取得し、ネットワーク側にスケジューリングポリシーの協議の確認メッセージを送信する。
【００３９】
もちろん、本発明の実施例では、UEによりスケジューリングポリシーを設定し、そして、ネットワーク側に送信してもよいが、本発明の実施例では、これについて限定しない。
【００４０】
本発明の実施例では、UEとネットワーク側との間に第一ネットワークリンク及び第二ネットワークリンクを形成することができ、そのうち、第一ネットワークは、第二ネットワークとは異なり；及び、第一ネットワークリンクと第二ネットワークリンクとの関連付けを行い、これによって、UEは、協議結果に基いて、スケジューリングアルゴリズムに従って同一データストリームを第一ネットワークリンク及び第二ネットワークリンクに分配して伝送させることができる。本発明の実施例は、異なるネットワークにおいて同一データストリームの混合伝送を実現することができ、従来案に比べ、本発明の実施例は、より柔軟に分配を行うことができ、特に某ネットワークリンクのロードが比較的に重く又はパケット紛失が比較的に多い時に、同一データストリームを他のネットワークリンクに分配して伝送させることができる。また、本発明の実施例は、某ネットワークリンクにパケット紛失が発生した時に、他のネットワークリンクを利用して再送を行うこともでき、これによって、サービス品質を確実に保証することができる。
【００４１】
図3を参照する。図3は、本発明の実施例による他のデータストリーム伝送方法のフローチャートである。そのうち、該方法は、以下のステップを含んでも良い。
【００４２】
301：ネットワーク側は、UEとの間の第一ネットワークリンク及び第二ネットワークリンクを形成し、そのうち、上述の第一ネットワークは、上述の第二ネットワークとは異なる。
【００４３】
同様に、図3に示す方法では、第一ネットワークはWLANであってもよく、第二ネットワークはLTEネットワークであっても良い。
【００４４】
302：ネットワーク側は、上述の第一ネットワークリンクと上述の第二ネットワークリンクとの関連付けを行う。例えば、上述の第一ネットワークがWLANであり、第二ネットワークがLTEネットワークである場合、eNBが上述の第一ネットワークリンクと上述の第二ネットワークリンクとの関連付けを行うための実現方式は、次の通りあってもよい。
【００４５】
ネットワーク側（例えばeNB)は、第一ネットワークリンクの対応するWLAN  MAC  Address、及び、第二ネットワークリンクの対応するC-RNTI、セルIDに基づいて、上述の第一ネットワークリンクと上述の第二ネットワークリンクとの関連付けを行い、即ち、第一ネットワークリンクと第二ネットワークリンクとの対応関係を形成する。そのうち、ネットワーク側（例えばeNB)が形成する、第一ネットワークリンク及び第二ネットワークリンクの対応関係の形式は、第一ネットワークリンクの対応するWLAN  MACアドレスと第二ネットワークリンクの対応するC-RNTI、CellIDとの対応関係であってもよく、言い換えると、第一ネットワークリンクのWLAN  MACアドレスは、第二ネットワークリンクのC-RNTI、Cell  IDに対応している。
【００４６】
そのうち、WLANでは、WLAN  MAC  Addressは、一つのWLANリンクを標識するために用いられてもよく、LTEでは、C-RNTI及びCell  IDは、一つのLTEリンクを標識するために用いられてもよく、そのうち、C-RNTI及びCell  IDは、ネットワーク側とUEと間にLTEリンクを形成する時に分配されるものであってもよく、WLAN  MAC  Addressは、UEにより予め構成され、そして、ネットワーク側に通知されるものであってもよい。
【００４７】
例えば、上述の第一ネットワークがWLANであり、第二ネットワークがLTEネットワークである場合、ネットワーク側が上述の第一ネットワークリンクと上述の第二ネットワークリンとの関連付けを行うための実現方式は、次の通りであっても良い。
【００４８】
ネットワーク側（例えばeNB)は、第一ネットワークリンクの対応するユーザID、及び、第二ネットワークリンクの対応するユーザIDに基づいて、上述の第一ネットワークリンクと上述の第二ネットワークリンクとの関連付けを行い、即ち、第一ネットワークリンクと第二ネットワークリンクとの対応関係を形成する。そのうち、ネットワーク側（例えばeNB)が形成する、第一ネットワークリンクと第二ネットワークリンクと対応関係の形式は、ネットワーク側（例えばeNB)が、第一ネットワークリンクの対応するユーザID及び第二ネットワークリンクの対応するユーザIDを記憶することであってもよく、そのうち、第一ネットワークリンクの対応するユーザIDは、第二ネットワークリンクの対応するユーザIDと同じである。
【００４９】
303：ネットワーク側は、UEにより上述第一ネットワークリンク及び上述の第二ネットワークリンクに分配されて伝送されている同一データストリームを受信して統合する。
【００５０】
オプションの実施形態として、本発明の実施例では、ネットワーク側（例えばeNB)は、UEとはスケジューリングポリシーの協議を行うことができる。そのうち、ネットワーク側（例えばeNB)とUEとのスケジューリングポリシーの協議を行う具体的な実現プロセスは、上述に既に詳細に説明しているので、本発明の実施例は、ここでは、重複説明を省略する。
【００５１】
本発明の実施例は、異なるネットワークにおいて同一データストリームの混合伝送を実現することができ、従来案に比べ、本発明の実施例は、より柔軟に分配を行うことができ、特に、某ネットワークリンクのロードが比較的に重く又はパケット紛失が比較的に多い時に、同一データストリームを他のネットワークリンクに分配して伝送させることができる。また、本発明の実施例は、某ネットワークリンクにパケット紛失が発生した時に、他のネットワークリンクを利用して再送を行うこともでき、これによって、サービス品質を確実に保証することができる。
【００５２】
以下、第一ネットワークリンクがWLANリンクであり、第二ネットワークリンクがLTEリンクであることを例とし、詳細に本発明の実施例によるデータストリーム伝送方法を紹介する。本発明の実施例では、UEがネットワーク側（例えばeNB)との間にWLANリンク及びLTEリンクを形成するプロセスは、UEのWLAN及びLTEネットワークにおける認証を含んでもよい。以下、それぞれ説明する。
【実施例１】
【００５３】
UEのWLANにおける認証方法その一
本発明の実施例では、UEのWLANにおける認証の目的は、主に、次の二つがある。
【００５４】
1、ユーザの身分を識別し、ユーザの不正アクセスを防止し；
2、ユーザの身分を識別した後に、同一ユーザのWLANにおけるリンク及びLTEにおけるリンクの関連付けを行ってもよい。
【００５５】
そのうち、実施例１によるUEのWLANにおける認証方法は、次のように説明する。
【００５６】
1)、ネットワーク側（例えばeNB)は、認証が必要であると判断すれば、UEに、認証指令(Authentication  Command)を送信し、UEの認証プロセスをトリガし；
2)、UEは、WLANにおいて、ネットワーク側（例えばeNB)に、認証要求（Authentication  Request)を送信し、そのうち、該認証要求には、UEの身分を標識するためのC-RNTI及びCell  IDが携帯されており；
3)、ネットワーク側（例えばeNB)は、上述の認証要求を受信した後に、上述の認証要求に携帯のC-RNTI及びCell  IDに基づいてUEを見つけ、そして、ランダムな数値Randを生成し、そして、Challenge  Requestメッセージにより、ランダムな数字RandをUEに送信し;
4)、UEは、ネットワーク側（例えばeNB)が送信したランダム数値Randを受信した後に、ネットワーク側（例えばeNB)と共用の共用シークレットキーKeNB、及び該ランダムな数値Randを用いて、3GPPアルゴリズムにより参考値RESを生成し、そして、該参考値RESをChallenge  Responseメッセージによりネットワーク側(例えばeNB)に送信し;ネットワーク側（例えばeNB)は、自分の保存のKeNB及び該ランダムな数値Randに基づいて参考値XRESをも生成し、そして、ネットワーク側（例えばeNB)は、RES及びXRESを比較し、両者が等しい場合、認証が成功であることを表し、そうでない場合、認証が失敗であることを表し；
5)、ネットワーク側(例えば、eNB)は、認証レスポンスメッセージ（Authentication  Response)を用いて認証結果をUEに送信し;
6)、認証が成功すれば、UEとネットワーク側（例えば、eNB)との間は、WLANリンクを形成し；UE及びネットワーク側（例えば、eNB)は、それぞれ、上述のC-RNTI、Cell  ID及びWLANリンクのWLAN  MAC  Addressに基づいて、WLANリンクとLTEリンクとの関連付けを行い、これによって、後続にスケジューリングポリシーの協議及びデータストリームの分配プロセスを起動する。
【００５７】
そのうち、C-RNTI及びCell  IDは、UEとネットワーク側（例えば、eNB)との間にLTEリンクを形成する時に分配されるものである。本実施例１では、UEとネットワーク側（例えば、eNB)との間に、まず、LTEリンクを形成しなければならず、その後、LANリンクを形成し、なぜなら、LTEリンクの形成後のみに、パラメータC-RNTI及びCell  IDを把握することができるからである。UEとネットワーク側（例えば、eNB)との間にLTEリンクを形成する具体的な実現方法は、当業者に周知の技術であるため、本実施例１では、詳しい説明を省略する。
【００５８】
本実施例１では、UEのWLANにおける認証プロセスが速く、ローカルに実行されるため、ウェブポータル（Web  Portal)などの方法に比べ、本実施例１の認証方法は、ユーザに対して透明であるため、ユーザ体験がよい。また、ネットワークの構築が簡単であり、付加的な構築コストを要しないので、今のところの3GPP標準に対して要求することが何も無い。
【００５９】
本発明の実施例では、UEは、LTEにおいて認証を行ってもよく、認証は、同一ユーザのWLANにおけるリンク及びLTEにおけるリンクを関連付けさせる。そのうち、UEのLTEにおける認証プロセスは、WLANにおける認証のプロセスと類似するため、本発明の実施例のここ及び後述では、重複説明を省略する。
【実施例２】
【００６０】
UEのWLANにおける認証方法その二
本実施例２では、UEのWLANにおける認証方法は、従来のWLANにおける802.lxの認証方法を採用してもよく、そのうち、該認証方法は、EAP-AKAに基づくものである。本実施例２のここでは、詳しい紹介を省略する。
【００６１】
UEのLTEネットワークにおける認証方法は、本実施例２においてUEのWLANにおける認証方法と類似し、互いに独立したのもであるため、UEとネットワーク側との間にWLANリンク及びLTEリンクを形成した後に、次の方式を採用して、WLANリンクとLTEリンクと関連付けを行っても良い。
【００６２】
1)、一つの統一的ユーザIDを確定し、該ユーザIDを用いてWLAN及びLTEにおいて一つのユーザを標識してもよく、該ユーザIDは、例えば、ユーザのIMSIであってもよく；
2)、UEのWLANにおける認証プロセスは、LTEにおける認証のプロセスとは独立したものであるが、認証を通過し、WLANリンクを形成した後に、ユーザIDをネットワーク側（例えば、eNB)に記憶することを要し；
3)、UEのLTEにおける認証プロセスも、WLANにおける認証プロセスとは独立したものであるが、認証を通過し、LTEリンクを形成した後に、ユーザIDをネットワーク側（例えば、eNB)に記憶することも要し、本実施例では、WLANリンク及びLTEリンクは、２種類の無線アクセス技術(Radio  access  technology、RAT)と見なされてもよく、この２種類のRATによりネットワーク側（例えば、eNB)に記憶されるユーザIDは、同一ユーザIDであり;
4)、UEがWLANにおいてWLANリンクを形成するか、それとも、LTEにおいてLTEリンクを形成するかにもかかわらず、UE及びネットワーク側（例えばeNB)はともに、該プロセス中のユーザIDに基づいてスキャンを行い、これによって、該UEが他のRATリンクを有するかそうかを確定してもよく、有する場合、UE及びネットワーク側（例えば、eNB)は、WLANリンクの対応するユーザID、及び、LTEリンクの対応するユーザIDに基づいて、WLANリンクとLTEリンクとの関連付けを行い、後続にスケジューリングポリシーの協議及びデータストリームの分配プロセスを起動しても良い。
【００６３】
本実施例２では、WLAN及びLTEに使用するユーザIDはIMSIであり、もちろん、他のIDを定義してもよく、本発明の実施例では、これについて限定しない。
【００６４】
本実施例２では、UEのWLANにおける認証方法は、完全に従来のSIM（Subscriber  Identity  Module、SIM)認証プロセスとの交換性を有するため、認証プロセスを変更する必要がない。
【実施例３】
【００６５】
UEのWLANにおける認証方法その三
本実施例３では、UEのWLANモジュール及びLTEモジュールが分離不可である条件の下で、LTEにおける認証プロセスを用いて、UEのWLANにおける認証を実現する。具体的な方法は、次の通りである。
【００６６】
1)、UEは、LTEにおいて、WLANをサポートするかどうか、及び、WLAN  MAC  Addressを報告し;そのうち、これらのWLANの情報は、Radio  Capabilities  procedureによりネットワーク側(例えば、eNB)に送信してもよく、又は、他の任意の実行可能なLTE  Procedureによりネットワーク側（例えば、eNB)に送信してもよく；
2)、UEはLTEリンクを形成する時に、ネットワーク側（例えば、eNB)は、LTEにより、WLANをサポートするUEの能力及びWLAN  MAC  Addresを取得し、その後、LAN  MAC  Addressに基づいて、既に存在しているWLANリンクをスキャンし、見つけた場合、WLANリンクとLTEリンクとの関連付けを行い、後続にスケジューリングポリシーの協議及びデータストリームの分配プロセスを起動し；
3)、UEはWLANリンクを形成する時に、ネットワーク側（例えば、eNB)は、WLAN無線インターフェースによりWLAN  MAC  Addressを取得し、その後、WLAN  MAC  Addressに基づいて、既に存在しているLTEリンクをスキャンし、見つけた場合、WLANリンクとLTEリンクとの関連付けを行い、後続にスケジューリングポリシーの協議及びデータストリームの分配プロセスを起動し；
4)、UE中のWLANモジュール及びLTEモジュールが分離不可であり、これは、UEのLTEにおける認証が同様にWLANに適用し得るとのことを意味するので、UEがWLANにおいて再アクセスする時に、認証を行う必要もない。
【００６７】
本実施例３では、UEがWLANにおいてアクセスする時に、認証を行う必要がなく、簡単で且つ速く、また、従来のWLANの認証プロセスにも影響を与えない。これは、UEが他のWLANに移動した時に、依然として、対応するSIM認証又はWeb  Portal認証にてアクセスすることができるとのことを意味する。
【００６８】
上述の実施例３では、WLANにおける安全性が不足していれば（WLANにおいて認証がないため）、上述のステップにWLANの認証プロセスを追加しても良い。具体的は、次の通りである。
【００６９】
1)、UEは、LTEにおいて、WLANをサポートするかどうか、及び、WLAN  MAC  Addressを報告し、そのうち、これらのWLANの情報は、Radio  Capabilities  procedureによりネットワーク側(例えば、eNB)に送信してもよく、又は、他の任意の実行可能なLTE  Procedureによりネットワーク側（例えば、eNB)に送信してもよく；
2)、UEは、LTEリンクを形成する時に、ネットワーク側（例えば、eNB)は、LTEにより、WLANをサポートするUEの能力及びWLAN  MAC  Addressを取得し、その後、WLAN  MAC  Addressに基づいて、既に存在しているWLANリンクをスキャンし、見つけた場合、C-RNTI、Cell  ID、及びWLAN  MAC  Addressに基づいて、WLANリンクとLTEリンクとの関連付けを行い、後続にスケジューリングポリシーの協議及びデータストリームの分配プロセスを起動し；
3)、UEがWLANリンクを形成する時に認証を行い、該認証プロセスは、LTE認証とは独立したものであり、既存の認証プロセス、例えば、SIM認証、Web  Portal等を採用してもよく、ネットワーク側（例えば、eNB）は、WLANリンクのWLAN  MAC  Addressを記録し、その後、WLAN  MAC  Addressに基づいて、既に存在しているLTEリンクをスキャンし、見つけた場合、WLANリンクとLTEリンクとの関連付けを行い、後続にスケジューリングポリシーの協議及びデータストリームの分配プロセスを起動し；
4)、上述プロセスでは、WLANリンクのMAC  Addressに基づいて、WLANリンクとLTEリンクとの関連付けを行うが、他の任意の定義されているパラメータに基づいて、WLANリンクとLTEリンクとの関連付けを行ってもよく、本実施例では、これについて限定しない。
【実施例４】
【００７０】
UEのWLANにおける認証方法その四
本実施例４の方法では、UEのWLAN及びLTEにおける認証は、依然として、従来の方法のように行い、認証が成功し、そして、リンクを形成した後に、eNBに、LTEリンク及びWLANリンクの関連付けを行うことを通知する。具体的な方法は、次の通りである。
【００７１】
1)、UEのLTE及びWLANにおけるアクセス及び認証は、それぞれ行い、互いに透明であり；
2)、UEについて言えば、UEは、そのアクセスするLTE及びWLANの状況を知っているのであり、よって、UEは、LTEリンク及びWLANリンクを形成し、そして、両者を関連付けさせた後に、WLANにより、ネットワーク側（例えば、eNB)に、関連付けられているLTEリンク及びWLANリンクのプロセスメッセージを送信してもよく；該プロセスメッセージにより、ネットワーク側（例えば、eNB)は、WLANリンク及びLTEリンクの関連付けを行い、後続にスケジューリングポリシーの協議及びデータストリームの分配プロセスを起動することができる。
【００７２】
本実施例４では、UEは、どのWLANリンクがLTEリンクと関連付けることができるかを識別することを助けるために、WLANのESS  IDに、ネットワーク側（例えば、eNB)の情報を追加してよい。本実施例４では、3GPP標準を変更する必要がない。
【００７３】
上述には、UEのWLANにおける複数種類の認証方法を紹介したが、それぞれは、利点及び欠点を有し、具体的にどの方法を採用するかは、複数の要因、例えば、標準化の可能性、及び、UEの実現への影響などによるのである。
【００７４】
本発明の実施例では、UE及びネットワーク側（例えば、eNB)は、WLANリンクとLTEリンクとの関連付けを行った後に、同一データストリームに対して分配を行っても良い。以下は、それぞれ説明する。
【実施例５】
【００７５】
データストリームのWLANリンク及びLTEリンクにおける分配方法その一
本実施例５では、UE及びネットワーク側（例えば、eNB)において、それぞれ、「データ分配/統合」モジュールを設置してもよく、該モジュールの設置位置は異なり、与える影響及び実際の処理プロセスも異なる。本実施例５では、UE及びネットワーク側（例えば、eNB)に設置の「データ分配/統合」モジュールは、図4に示すように、MAC層に位置してもよい。
【００７６】
上りリンクの方向において、UEに設置の「データ分配/統合」は、主に、データストリームの分配機能を果たし、ネットワーク側（例えば、eNB)に設置の「データ分配/統合」は、主に、データストリームの統合機能を果たす。下りリンクの方向において、UEに設置の「データ分配/統合」は、主に、データストリームの統合機能を果たし、ネットワーク側（例えば、eNB)に設置の「データ分配/統合」は、主に、データストリームの分配機能を果たす。
【００７７】
図4から分かるように、無線リンク制御（Radio  Link  Control、RLC)層以上では、統一的にLTEプロトコールスタックを用い、RLC層以下では、LTE及びWLANの２種類のRATを用いる。よって、「データ分配/統合」モジュールは、MAC層において、RLCデータパケットをLTEリンク及びWLANリンクに分配して伝送させる。LTE及びWLANの２種類のRATがともに存在する場合、ロードシェアリングモード又はアクティブ/スタンバイモードで動作し、システムの無線インターフェーススループット率を向上させる。
【００７８】
本実施例５では、WLANリンクに分配されているデータパケットは、パケットデータコンバージェンスプロトコル（Packet  Data  Convergence  Protocol、PDCP)層における処理を受けたのであり、これは、安全保護を既に取得していることを意味し、よって、WLANリンクにおいて付加的な安全保護を行うことをもう要しない。WLANリンク及びLTEリンクに分配されているデータパケットは、PDCP層における処理を受けたのであり、これは、ヘッド圧縮を受けたことを意味し、WLANリンク及びLTEリンクの伝送効率が向上していることを意味する。WLANリンク及びLTEリンクに分配されているデータパケットは、PDCP層における処理を受けたのであり、これは、PDCP層におけるソートを受けたことを意味し、よって、無秩序をもたらすことが無く、よって、伝送制御プロトコル（Transmission  Control  Protocol、TCP)層の伝送への影響が小さい。よって、本実施例５は、図1に示すような、従来技術においてWLANリンクの安全がUEとPDGとの間のIPSecの保証に頼ることによる処理量が大きく、かつ付加的なヘッダーオーバーヘッドの増加の問題を解決することができる。
【実施例６】
【００７９】
データストリームのWLANリンク及びLTEリンクにおける分配方法その二
本実施例６では、UE及びネットワーク側（例えば、eNB)に設置の「データ分配/統合」モジュールは、図5に示すように、IP層に位置してもよい。
【００８０】
本実施例６では、同一データストリームの分配はIP層で完成し、即ち、「データ分配/統合」モジュールがWLANリンク及びLTEリンクに分配する対象は、IPデータパケットである。
【００８１】
本実施例６では、UE側で下層プロトコールスタックを修正する必要がなく、データストリームの分配/統合がアプリケーション層で完成し得るので、端末に対しての修正が容易であり、比べて言えば、実施例５のデータストリームの分配/統合がMAC層及びRLC層の間に行われ、また、一般的には、端末のMAC層及びRLC層がASICチップにより実現され、よって、量産後の修正が困難である。
【００８２】
実施例５では、分配されているデータパケットはPDCP層における処理を受けたのであり、これは、安全保護を取得していることを意味し、よって、WLANリンク及びLTEリンクにおいて付加的な安全保護を行う必要もない。しかし、本実施例６では、WLANリンク及びLTEリンクに分配する対象はIPデータパケットであり、IPデータパケットは、PDCP層における処理を受けていないものであり、よって、WLANリンク及びLTEリンクにおいて、付加的な安全保護を行う必要があり、もちろん、安全への要求が高くない場合、安全保護を行わなくてもよい。
【００８３】
実施例５では、分配されているデータパケットは、PDCP層における処理を受けたのであり、これは、ヘッダー圧縮を受けたことを意味し、これは、WLANリンク及びLTEリンクの伝送効率が向上していることも意味する。しかし、本実施例６では、WLANリンク及びLTEリンクに分配する対象はIPデータパケットであり、IPデータパケットはPDCP層における処理を受けていないものであり、これは、IPデータパケットがヘッダー圧縮を受けていないことを意味し、また、これは、WLANリンク及びLTEリンクの伝送効率が実施例５より低いことをも意味する。
【００８４】
実施例５では、WLANリンク及びLTEリンクに分配されているデータパケットは、PDCP層における処理を受けたものであり、これは、PDCP層におけるソートを受けたことを意味し、よって、無秩序をもたらすことがなく、よって、TCP層の伝送への影響が小さい。しかし、本実施例６では、LTEリンク及びWLANリンクの時間遅延が異なることにより、無秩序をもたらすことがあり、該無秩序は、TCP層における処理に影響を与えることがある。
【実施例７】
【００８５】
データストリームのWLANにおける伝送
本発明の実施例では、WLANリンクに分配されているデータパケットは、RLCパケット又はIPデータパケットにもかかわらず、次の図６に示すように、ロジックリンク制御（Logical  Link  Control、LLC)層に封入する必要がある。本発明の実施例について言えば、データストリームをWLANリンク及びLTEリンクにより、よく分配することができるために、WLANにおいて、ベアラに類似する概念を導入してもよい。
【００８６】
例えば、次のような方法を採用してWLANにおけるベアラを定義しても良い。
【００８７】
方法1：802.2SNAPのClassにおいていくつかの値を定義し、それらと、LTEにおけるベアラ標識(Bearer  ID)とを一対一で対応させ；
方法2：在802.21  LLCのDSAP及びSSAPにおいていくつかの値を定義し、それらと、LTEにおけるベアラ標識(Bearer  ID)とを一対一で対応させる。
【実施例８】
【００８８】
データストリームの整形方法その一
本実施例８では、データストリームを整形する目的は、上述の実施例６におけるIPデータパケットがLTEリンク及びWLANリンクにそれぞれ伝送される時の無秩序問題を解決することにある。
【００８９】
そのうち、IPデータパケットは、「データ分配/統合」モジュールにより分配された後に、LTEリンク及びWLANリンクにおいてそれぞれ伝送され、WLAN及びLTEの技術的特性は異なるので、IPデータパケットがWLANリンク及びLTEリンクにおいて伝送される時の時間遅延も異なる。その結果、ある確定のIPデータストリームについて、２種類のRAT伝送の後に、受信側では無秩序が発生することがある。そのうち、無秩序は、TCP伝送に影響を与えることがあり、例えば、TCPパケットの再送をもたらし、TCPソース側のコンジェスチョンコントロールなどをもたらす可能性がある。
【００９０】
本実施例８によるデータストリームの整形方法については、次のように説明する。
【００９１】
「データ分配/統合」モジュールは、次のように、データストリームに基づいて分配を行う。
【００９２】
1)、IPデータパケットヘッダーにおけるProtocol  IDがUDPである場合、データストリームをWLANリンク及びLTEリンクに任意に分配してもよく；
2)、IPパケットヘッダーにおけるProtocol  IDがTCPである場合、各データストリームを、ある確定のRATに分配する必要があり、一つのデータストリームは、クインテットにより表される。
【００９３】
本実施例６では、同一データストリームが同一RATにおいて伝送されれば、その順序が保証され得るが、このようにするなら、分配の利点がなくなる。
【００９４】
「データ分配/統合」モジュールは、次のように、ベアラに基づいて分配を行っても良い。
【００９５】
今のところ、LTEでは、一つのデータストリームは、必ず、ある確定のベアラにより搬送されるのであり、これによって、ベアラに対してスケジューリングを行えば、確定のデータストリームを確定のRATに分配することもできる。
【００９６】
本実施例８によるデータストリームの整形方法は、TCPの再送及びフロー制御の問題を解決することができるが、一つのデータストリームを同一ベアラに束縛させ、これによって、本発明の多くの利点を喪失させてしまう。
【実施例９】
【００９７】
データストリームの整形方法その二
本実施例８では、データストリームを整形する目的は、依然として、上述の実施例６におけるIPデータパケットがLTEリンク及びWLANリンクにおいてそれぞれ伝送される時の無秩序問題を解決することにある。
【００９８】
前に説明したように、IPデータパケットがLTEリンク及びWLANリンクにおいてそれぞれ伝送される時に生じた無秩序は、TCPの再送及びフロー制御の問題をもたらすことがある。そのうち、TCP再送の特徴については、次のように説明する。
【００９９】
1)、受信側は、SNが所望値より大きいデータパケットを受信した時に、直ちに、ACK(確認情報フレーム）を返送し、そのうち、ACKは、所望のSNを携帯し；
2)、ソース側は、同じSNを携帯する三つのACKを連続して受信すれば、再送が必要であると見なし、コンジェスチョンコントロールを行う。
【０１００】
本実施例９では、上述のTCP再送の特徴に基づいて、分配時に方法を設計し、これによって、受信側がソース側に3個のACKを連続して送信することを避ければよい。具体的な方法は、次の通りである。
【０１０１】
同一データストリームに関して、「データ分配/統合」モジュールは、同一RATにおいて2個を超えた個数のデータパケットを送信することをしない。例えば、
I、まず、LTEリンク及びWLANリンクにおいてそれぞれ1個又は2個のデータパケットを送信し；
II、データパケットの送信が先に成功したRATにおいて、データパケットを続いて送信し；
III、あるRATに既に２個のデータパケットを送信したが、他のRATにおけるデータパケットの送信がまだ成功していない場合、データパケットの送信が成功したRATにおいて、他のRATにおいて送信がまだ未成功であるデータパケットを再送する。
【０１０２】
本実施例９によるデータストリームの整形方法は、TCPの再送及びフロー制御の問題を避けることができ、また、同一データストリームを同一个ベアラに束縛する必要もない。
【実施例１０】
【０１０３】
データストリームの整形方法その三
実施例８及び実施例９の異なるところは、本実施例１０では、WLANリンク及びLTEリンクにおいて無秩序を許可し、受信側により上位層に渡す前にソートを行うことにある。そのうち、ソートは、シリアル番号SNに基づいて行う。本実施例１０の具体的な方法は、次のように説明する。
【０１０４】
1)、「データ分配/統合」モジュールは、IPデータパケットを受信して分配を行う時に、各IPデータパケットに一つのSNを付け;
2)、SNが付けられているIPデータパケットは、WLANリンク及びLTEリンクを経由してそれぞれネットワーク側（例えば、eNB)に伝送され、ネットワーク側（例えば、eNB)の「データ分配/統合」モジュールは、各IPデータパケットのSNに基づいてソートを行い、その後、上位層に送信し；
3)、実際のネットワークでは、このようなSN付きのプロトコルが多くあり、例えば、PDCP、GTPU等があり、最も簡単なプロトコルを選すればよく、ひいては、自分で簡単なプロトコル層を定義してもよく；
4)、SNの設定に関しては、これらのIPデータパケットをLTE、SAEコアネットワークに伝送する時に採用するのは、GTPUチャネルであり、GTPUパケットヘッダーには、実際には、GTPUのSNを有するので、ネットワーク側(例えば、eNB)は、これらのGTPUのSN及びTEIDに基づいてマックを付けることができる。
【０１０５】
本実施例１０によるデータストリームの整形方法は、TCPの再送及びフロー制御の問題を避けることができ、且つ、分配に与える影響が小さい。
【実施例１１】
【０１０６】
データストリームのWLANリンク及びLTEリンクにおける分配のスケジューリングアルゴリズムのサポート
図4、図5に示すように、本発明の実施例では、「データストリーム分配/統合」モジュールは、同一データストリームの異なるRATへの分配を完成させることができ、また、異なるRATから、データストリームを受信して統合することもできる。そのうち、「データストリーム分配/統合」モジュールがデータストリームに対して行う分配は、一定のスケジューリングアルゴリズムにより制御されても良い。柔軟性があるために、本発明の実施例では、各種類のスケジューリングアルゴリズムをできるだけサポートできるようにする。しかし、何れのスケジューリングアルゴリズムは、次の二つの側面の入力情報を要する。
【０１０７】
1)、スケジューリングポリシー情報；
2)、スケジューリングフィードバック情報。
【０１０８】
本発明の実施例では、ネットワーク側（例えば、eNB)により、スケジューリングポリシーを設定し、UEは、ネットワーク側（例えば、eNB)と、スケジューリングポリシーの協議を行うことにより、スケジューリングポリシーを取得してもよい。具体的なスケジューリングポリシーの協議プロセスは、図7に示すように、次のステップを含む。
【０１０９】
A：UEは、スケジューリングポリシーの協議の要求メッセージ（Policy  Request)をネットワーク側（例えば、eNB)に送信し;
B：UEは、ネットワーク側（例えば、eNB)から返されたポリシー命令(Policy  Command)を受信し、該ポリシー命令には、スケジューリングポリシーが携帯されており；
C：UEは、スケジューリングポリシーを取得し、そして、ネットワーク側（例えば、eNB)にスケジューリングポリシーの協議の確認メッセージ(Policy  Confirm)を送信する。
【実施例１２】
【０１１０】
データストリームのWLANリンク及びLTEリンクにおける分配のスケジューリングアルゴリズムのサポート
本実施例１２では、「データストリーム分配/統合」モジュールがどのようなスケジューリングフィードバック情報を取得する必要があるか、及び、どうやってこれらのスケジューリングフィードバック情報を取得するかを示す。
【０１１１】
そのうち、「データストリーム分配/統合」モジュールは、それぞれ、LTEリンク及びWLANリンクの無線インターフェースから、ケジューリングアルゴリズムの使用のためのスケジューリングフィードバック情報を取得することができ、具体的には、次の通りである。
【０１１２】
1)、UE及びネットワーク側（例えば、eNB)における「データストリーム分配/統合」モジュールは、WLANリンク無線インターフェースから、スケジューリングフィードバック情報を取得することができ；そのうち、該スケジューリングフィードバック情報は、次のような情報を含んでもよいが、これらの情報に限定されず、
I、バッファ領域におけるデータ量；
II、再送情報、例えば、あるデータパケットの再送回数、再送の確率などの情報；
III、データパケットにWLANリンクにおける伝送時間（オプション）。
【０１１３】
2)、UE及びネットワーク側（例えば、eNB)における「データストリーム分配/統合」モジューは、LTEリンクの無線インターフェースから、スケジューリングフィードバック情報を取得することができ、該スケジューリングフィードバック情報は、次のようなものを含んでもよく、
I、バッファ領域のデータ量；
II、再送情報。
【０１１４】
本発明の実施例では、上述のスケジューリングフィードバック情報の取得は、「データストリーム分配/統合」モジュール及びLTE無線インターフェースプロトコールスタック、WLAN無線インターフェースプロトコールスタックの間にインターフェスがあることを要し、これは、容易に実現するのである。UEについて言えば、無線インターフェースプロトコールスタックとの間のインタフェースを増設することにより、商用化が難しくなる可能性があるが、これは、本発明の実施例の実現に影響を与えない。
【実施例１３】
【０１１５】
具体的なスケジューリングアルゴリズムの例
本発明の実施例では、UE及びネットワーク側（例えば、eNB)は、スケジューリングポリシー情報及びスケジューリングフィードバック情報を取得した後に、「データストリーム分配/統合」は、スケジューリングアルゴリズムに従って同一データストリームに対して分配を行うことができる。そのうち、具体的なスケジューリングアルゴリズムは、多種多様であるが、本実施例１３では、次の幾つかの例を挙げる。
【０１１６】
1)、スケジューリングアルゴリズムその一：データストリームに基づいて分配を行う
即ち、受信した各データパケットについて、IPパケットヘッダーを分析し、スケジューリングポリシーとのマッチングを行うことにより、IPパケットの分配を行う。
【０１１７】
2)、スケジューリングアルゴリズムその二：ベアラに基づいて分配を行う
即ち、異なる各ベアラ上のデータパケットについて、スケジューリングポリシーに基づいて、それを対応するRATに分配する。
【０１１８】
3)、スケジューリングアルゴリズムその三：フィードバックに基づいて分配を調整する
I、シグナリング、VoIPデータパケットをLTEリンクにおいて伝送させ、これにより、サービス品質を保証し；
II、WLANをサポートしないデータパケットについて、LTEリンクのみに伝送させ；
III、WLANリンクにおいて再送が発生すれば、LTEリンクに再送を行い、LTEリンクにおいて再送が発生すれば、WLANリンクにおいて再送を行い、又は、二つのRATに同時に再送を行い；
IV、再送は、データパケットの二つのRATにおける分配比に影響を与え、例えば、WLANリンクにおいて再送が多い場合、データパケットをLTEリンクにできるだけ分配し、逆の場合も同様であり；
V、二つのRATにおけるバッファ領域は、データパケットの二つのRATにおける分配比に影響を与え、例えば、あるRATのバッファ領域が満であればであるほど、該RATへ分配の確率が低い。
【０１１９】
4)、スケジューリングアルゴリズムその四：混合スケジューリングアルゴリズム
本実施例では、上述のスケジューリングアルゴリズムその三のルールを、前述のスケジューリングアルゴリズムその一又はスケジューリングアルゴリズムその二に応用してもよく、例えば、再送及びバッファ領域のサイズは、ベアラの分配、又は、データストリームの２種類のRATにおける分配に影響を与える。
【０１２０】
本発明の実施例では、他のタイプのスケジューリングアルゴリズムを採用して、データストリームの分配を行ってもよく、本発明の実施例では、これについて限定しない。
【実施例１４】
【０１２１】
WLANのコアネットワークへのリンクを形成する方法その一
前の実施例により、一つの完全な技術案を構成して本発明を実現することもできるが、以下、次の２種類のシナリオを考慮して、本発明に対して拡張を行う。
【０１２２】
シナリオ1：非LTEユーザにWLANのアクセスを提供し、この時に、該ユーザは、LTEのコアネットワークを使用することができず；
シナリオ2：WLAN及びLTEのカバレッジが異なり、この時に、ユーザは、異なるカバレッジの間にローミングする時に、サービスの連続性を保持する必要がある。
【０１２３】
そのため、次のようなネットワークを構成する。
【０１２４】
WLANのコアネットワークを構成し、eNBに集約しているACをWLANコアネットワークにリンクさせる。ワーキングプロセスは、次の通りである。
【０１２５】
1)、UEがWLAN認証を発起する時に、eNBに集約しているACにより、AAAサーバと直接リンクさせ、UEに対して認証を行い；
2)、認証の結果が通過である時に、該UEがLTEにおいて既にリンクを形成した場合、LTEリンク及びWLANリンクを用いて分配を行い；
3)、該UEがLTEにおいてリンクを形成していない場合、この時に、従来のWLAN伝送方式に従ってデータストリームを伝送する。
【０１２６】
UEがWLANから、WLAN&LTEが同時にカバーする場所に移動した時に、図8に示すように、次のような処理を行っても良い。
【０１２７】
1)、UEは、WLAN&LTEが同時にカバーする場所に移動した後に、UEは、LTEのカバレッジを発見し、LTEアタッチ(Attach)を発起し；
2)、UEの移動は、WLAN  APの変更を引き起こす可能性があり、新しいAPのACは、eNBの内部に集約し、即ち、UEの移動は、ACの変更を引き起こしてしまい、その結果、WLANにおける再認証を行う必要があり；
3)、LTEにおけるリンクの形成が成功したか、それとも、WLANにおけるリンクの形成が成功したかにもかかわらず、リンクの形成が成功した後に、eNBは、データベースをスキャンする必要があり、これによって、該UEに二つのRATが存在するかどうかを確定し、二つのRATが存在すれば、これは、eNBにおいてデータストリームの分配を行う必要があることを意味する。
【０１２８】
UEは、WLAN&LTEが同時にカバーする場所から、WLANのみがカバーする場所に移動した後に、図8に示すように、次のような処理を行っても良い。
【０１２９】
1)、UEは、LTEにおいてRLF又はDetachが発生する可能性があり、これによって、リンクのブロークン（broken）を引き起こし；
2)、この時に、WLANの切り替えが発生しなければ、全てのデータストリームをWLANに移行させ、ネットワーク側のデータストリームも、ACにより、WLANのコアネットワークに直接移行され；
3)、APの切り替えが発生し、且つ、新しいAPが直接WLANのコアネットワークにリンクされた場合、データストリームは、WLANに直接移行される。
【０１３０】
そのうち、点線は、LTE  Cellを表し、実線は、WLAN  Cellを表す。
【実施例１５】
【０１３１】
WLANのコネットワークへのリンクを形成する方法その二
実施例１４では、eNBに集約しているACを、WLANのコアネットワークに直接リンクさせるが、一つのeNBのカバレッジが小さいので、実施例１４におけるネットワーク構成は、このような問題、即ち、UE移動時に頻繁な認証を引き起こす可能性があるとの問題がある。本実施例１５では、このような問題を解決するために、ツーレベル（two-level）のACの概念を導入し、即ち、
1)、eNBに集約しているACを第二レベルのACと見なし;
2)、また、都市ネットワークのエッジに位置するACを第一レベルのACと見なし;
3)、第二レベルのACは、第一レベルのACの代理（Proxy)とし、且つ認証結果を保存する。
【０１３２】
UEは、WLANから、WLAN&LTEが同時にカバーする場所に移動した時、図9に示すように次のような処理を行ってもよい。
【０１３３】
1)、UEは、WLAN&LTEが同時にカバーする場所に移動した後に、UEは、LTEのカバレッジを発見し、LTE  Attachを発起することができ;
2)、UEの移動は、WLAN  APの変更を引き起こす可能性があり、新しいAPは、eNBがサービングするAPであり、この時に、UEは、WLANの再リンクプロセス（Re-association  Procedure)を発起し、WLAN  APを更新することができ、UEは、eNB中のACに登録してないので、該ACは、Re-association  Requestメッセージを上のレベルのACに転送して処理してもらう必要があり、上のレベルのACにおいて処理を通過すれば、認証を通過したと見なすことができ；
3)、LTEにおけるリンクの形成が成功したか、それとも、WLANにおけるリンクの形成が成功したかにもかかわらず、リンクの形成が成功した後に、eNBは、データベースをスキャンする必要があり、これによって、該UEには二つのRATが存在するかどうかを確定し;
4)、二つのRATが存在すれば、これは、eNBにおいてデータストリームの分配を行う必要があることを意味し、この時に、eNBは、第一レベルのACから該UEを削除する。
【０１３４】
そのうち、点線は、LTE  Cellを表し、実線は、WLAN  Cellを表す。
【０１３５】
UEは、WLAN&LTEが同時にカバーする場所から、WLANのみがカバーする場所に移動した時に、図9に示すように、次のような処理を行っても良い。
【０１３６】
1)、UEは、LTEにおいてRLF又はDetachが発生する可能性があり、これによって、リンクのブロークン（broken）を引き起こし；
2)、UEは、新しいAPを選択して、WLANのリンクの形成プロセスを再び発起し、リンクの形成が成功すれば、データストリームを新しいWLANに移行して伝送させることができる。
【０１３７】
図10を参照する。図10は、本発明の実施例によるユーザ設備の構成を示す図であり、上述のUEの機能を実現するためのものである。そのうち、該ユーザ設備は、次のようなユニットを含んでもよい。
【０１３８】
第一リンクユニット1001：eNBとの間の第一ネットワークリンクを形成するために用いられ；
第二リンクユニット1002：eNBとの間の第二ネットワークリンクを形成するために用いられ、そのうち、上述の第一ネットワークは、上述の第二ネットワークとは異なり；
関連付けユニット1003：上述の第一ネットワークリンクと、前記第二ネットワークリンクとの関連付けを行うために用いられ；
処理ユニット1004：スケジューリングアルゴリズムに従って、同一データストリームを上述の第一ネットワークリンク及び上述の第二ネットワークリンクに分配して伝送させるために用いられる。
【０１３９】
そのうち、処理ユニット1004は、上述のUE中の「データストリーム分配/統合」モジュールの機能を実現することができる。
【０１４０】
図10に示すように、該ユーザ設備は、協議ユニット1005を含んでもよく、協議ユニット1005は、eNBとはスケジューリングポリシーの協議を行うために用いられ、それ相応に、処理ユニット1004は、協議ユニット1005の協議結果に基づいて、スケジューリングアルゴリズムに従って、同一データストリームを上述の第一ネットワークリンク及び上述の第二ネットワークリンクに分配して伝送させることができる。
【０１４１】
そのうち、関連付けユニット1003及び協議ユニット1005は、併合して最適化を行うことにより、関連付けユニット1003及び協議ユニット1005の機能を実現するための一つの制御ユニットを構成してもよい。
【０１４２】
例えば、上述の第一ネットワーク及び第二ネットワークは、それぞれ、WLAN及びLTEネットワークであってもよい。それ相応に、関連付けユニット1003は、具体的に、上述の第一ネットワークリンクの対応するWLAN  MAC  Address、及び、上述の第二ネットワークリンクの対応するC-RNTI、CellIDに基づいて、上述の第一ネットワークリンクと、上述の第二ネットワークリンクとの関連付けを行っても良い。
【０１４３】
或いは、それ相応に、関連付けユニット1003は、具体的に、上述の第一ネットワークリンクの対応するユーザID、及び、上述の第二ネットワークリンクの対応するユーザIDに基づいて、上述の第一ネットワークリンクと上述の第二ネットワークリンクとの関連付けを行ってもよく、そのうち、上述の第一ネットワークリンクの対応するユーザIDは、上述の第二ネットワークリンクの対応するユーザIDとは同じである。
【０１４４】
例えば、協議ユニット1005は、具体的に、スケジューリングポリシーの協議の要求メッセージをネットワーク側に送信し、ネットワーク側から返されたのポリシー命令を受信することができ、該ポリシー命令には、スケジューリングポリシーが携帯されており、及び、スケジューリングポリシーを取得し、そして、ネットワーク側に、スケジューリングポリシーの協議の確認メッセージを送信することができる。これにより、UEとネットワーク側との間のスケジューリングポリシーの協議を実現することができる。
【０１４５】
オプションの実施形態として、処理ユニット1004が協議ユニット1005の協議結果に基づいて、スケジューリングアルゴリズムに従って、同一データストリームを上述の第一ネットワークリンク及び上述の第二ネットワークリンクを分配することは、MAC層において分配を行うことである。
【０１４６】
他のオプションの実施形態として、処理ユニット1004が協議ユニット1005の協議結果に基づいて、スケジューリングアルゴリズムに従って、同一データストリームを上述の第一ネットワークリンク及び上述の第二ネットワークリンクに分配することは、IP層において分配を行うことである。
【０１４７】
オプションの実施形態として、処理ユニット1004は、IP層において同一データストリームに対して分配を行った後に、各IPデータパケットにSNを付けることができ、これによって、ネットワーク側は、IPデータパケットを受信した後に、該IPデータパケットのSNに基づいてソートを行うことができ、これによって、IPデータパケットがそれぞれLTEリンク及びWLANリンクにおいて伝送される時に生じる無秩序の問題を避けることができる。
【０１４８】
本発明の実施例では、第一リンクユニット1001及び第二リンクユニット1002は、それぞれ、ネットワーク側と、第一ネットワークリンク及び第二ネットワークリンクを形成することができ、そのうち、第一ネットワークは、第二ネットワークとは異なり、関連付けユニット1003は、第一ネットワークリンクと第二ネットワークリンクとの関連付けを行ういことができ、且つ、協議ユニット1005は、ネットワーク側とスケジューリングポリシーの協議を行うことができ、これによって、処理ユニット1004は、協議の結果に基づいて、スケジューリングアルゴリズムに従って、同一データストリームを第一ネットワークリンク及び第二ネットワークリンクに分配して伝送させることができる。本発明の実施例は、異なるネットワークにおいて、同一データストリームの混合伝送を実現することができ、従来案に比べて、本発明の実施例は、より柔軟に分配を行うことができ、特に、あるネットワークリンクのロードが比較的に重く、又は、パケット紛失が比較的に多い時に、同一データストリームを他のネットワークリンクに分配して伝送させることができる。また、本発明の実施例は、あるネットワークリンクにパケット紛失が発生した時に、他のネットワークリンクを用いて再送を行わせることもでき、これによって、サービス品質を確実に保証することができる。
【０１４９】
図11を参照する。図11は、本発明の実施例によるネットワーク設備の構成を示す図である。本発明の実施例によるネットワーク設備は、基地局および基地局制御器などの設備に応用することができ、本発明の実施例では、これについて限定しない。そのうち、該基地局は、次のようなユニットを含んでも良い。
【０１５０】
第一リンクユニット1101：UEとの間の第一ネットワークリンクを形成するために用いられ；
第二リンクユニット1102：UEとの間の第二ネットワークリンクを形成するために用いられ、そのうち、上述の第一ネットワークは、上述の第二ネットワークとは異なり；
関連付けユニット1103：上述の第一ネットワークリンクと、前記第二ネットワークリンクとの関連付けを行うために用いられ；
処理ユニット1104：UEにより上述の第一ネットワークリンク及び上述の第二ネットワークリンクに分配されて伝送されている同一データストリームを受信して統合するために用いられる。
【０１５１】
そのうち、処理ユニット1104は、上述のネットワーク側中の「データストリーム分配/統合」モジュールの機能を実現することができる。
【０１５２】
図11に示すように、該ネットワーク設備は、更に、協議ユニット1105を含み、それは、UEとはスケジューリングの協議を行うために用いられ、そのうち、関連付けユニット１１０３及び協議ユニット１１０５は、合併して最適化を行うことにより、関連付けユニット1103及び協議ユニット1105の機能を実現することができる一つの制御ユニットを構成しても良い。
【０１５３】
例えば、上述の第一ネットワーク及び第二ネットワークは、それぞれ、WLAN及びLTEネットワークであってよい。
【０１５４】
それ相応に、関連付けユニト1103は、具体的に、上述の第一ネットワークリンクの対応するWLAN  MAC  Address、及び、上述の第二ネットワークリンクの対応するのC-RNTI、Cell  IDに基づいて、上述の第一ネットワークリンクと上述の第二ネットワークリンクとの関連付けを行っても良い。
【０１５５】
或いは、それ相応に、関連付けユニット1103は、具体的に、上述の第一ネットワークリンクの対応するユーザID、及び、上述の第二ネットワークリンクの対応するユーザIDに基づいて、上述の第一ネットワークリンクと上述の第二ネットワークリンクとの関連付けを行ってもよく、そのうち、上述の第一ネットワークリンクの対応するユーザIDは、上述の第二ネットワークリンクの対応するユーザIDとは同じである。
【０１５６】
例えば、協議ユニット1105は、具体的に、UEが送信したスケジューリングポリシーの協議の要求メッセージを受信し、また、ポリシー命令をUEに返送してもよく、該ポリシー命令には、スケジューリングポリシーを携帯している。
【０１５７】
オプションの実施形態として、UEにより上述の第一ネットワークリンク及び上述の第二ネットワークリンクに分配されて伝送される同一データストリームは、MAC層において分配されるのである。
【０１５８】
オプションの実施形態として、UEにより上述の第一ネットワークリンク及び上述の第二ネットワークリンクに分配されて伝送される同一データストリームは、IP層において分配されるのである。
【０１５９】
オプションの実施形態として、UEは、IP層において同一データストリームに対して分配を行った後に、各IPデータパケットにSNをつけ、これによって、ネットワーク側は、IPデータパケットを受信した後に、該IPデータパケットのSNに基づいてソートを行ってもよく、これによって、IPデータパケットがLTEリンク及びWLANリンクにおいてそれぞれ伝送されることによる無秩序の問題を避けることができる。
【０１６０】
本発明の実施例では、第一リンクユニット1101及び第二リンクユニット1102は、UEと第一ネットワークリンク及び第二ネットワークリンクをそれぞれ形成することができ、そのうち、第一ネットワークは、第二ネットワークとは異なり、関連付けユニット1103は、第一ネットワークリンクと、第二ネットワークリンクとの関連付けを行うことができ、且つ、協議ユニット1105は、UEとはスケジューリングポリシーの協議を行うことができ、これによって、処理ユニット1104は、UEにより上述の第一ネットワークリンク及び上述の第二ネットワークリンクに分配されて伝送されている同一データストリームを受信して統合するこができる。従来案に比べ、本発明の実施例は、より柔軟に分配を行うことができ、特に、あるネットワークリンクのロードが比較的重く、又は、パケット紛失が比較的に多い時に、同一データストリームを他のネットワークリンクに分配して伝送させることができる。また、本発明の実施例は、あるネットワークリンクにパケット紛失が発生した時に、他のネットワークリンクを用いて再送を行うこともでき、これによって、サービス品質を確実に保証することができる。
【０１６１】
図12を参照する。図12は、本発明の実施例によるデータストリーム伝送システムの構成を示す図であり、本発明の実施例によるデータストリーム伝送方法を実現するためのものである。そのうち、該システムは、ユーザ設備1201及びネットワーク設備1202を含んでも良い。
【０１６２】
図12に示すように、ユーザ設備1201の構成は、図10に示すユーザ設備の構成とは同じであり、ネットワーク設備1202の構成は、図11に示すネットワーク設備の構成とは同じである。
【０１６３】
図12に示すように、インタフェースUuは、ユーザ設備1201の第一リンクユニット1001とネットワーク設備1202の第一リンクユニット1101との間に形成したのがLTEリンクであることを表し；インタフェース802.11は、ユーザ設備1201の第二リンクユニット1002とネットワーク設備1202の第二リンクユニット1102との間に形成したのがWLANリンクであることを表す。
【０１６４】
本発明の実施例では、ユーザ設備1201が上りリンクの方向における実行プロセスは、ネットワーク設備1202が下りリンクの方向における実行執行プロセスとは類似し、及び、ユーザ設備1201が下りリンクの方向における実行プロセスは、ネットワーク設備1202が上りリンクの方向における実行プロセスとは類似するため、本発明の実施例のここでは、詳しい説明を省略する。
【０１６５】
本発明の実施例によるユーザデータ伝送システムは、より柔軟に分配を行うことができ、特に、あるネットワークリンクのロードが比較的重く、又は、パケット紛失が比較的に多い時に、同一データストリームを他のネットワークリンクに分配して伝送させることができる。また、本発明の実施例は、あるネットワークリンクにパケット紛失が発生した時に、他のネットワークリンクを用いて再送を行うこともでき、これによって、サービス品質を確実に保証することができる。
【０１６６】
また、本発明の実施例によるユーザデータ伝送システムは、UE及びネットワーク側（例えば、eNB)における幾つかの機能拡張のみを要するので、トータル構築コストが低く、建設周期が短い。
【０１６７】
本発明の実施例において前に説明したデータストリーム伝送方法は全て、LTEリンク及びWLANリンクに基づく混合伝送である。オプションの実施形態として、本発明の実施例によるデータストリーム伝送方法は、UTRAN（Universal  Mobile  Telecommunications  System  Terrestrial  Radio  Access  Network、UTRAN)リンク及びWLANリンクに基づく混合伝送であってもよい。即ち、上述の第一ネットワークは、WLANであってもよく、上述の第二ネットワークは、UTRANであっても良い。
【０１６８】
それ相応に、上述の第一ネットワークがWLANであり、上述の第二ネットワークがUTRANである時に、UEのWLANにおける認証は、実施例１〜実施例４と同様であり、データストリームの分配方法は、実施例５〜実施例６と同様であり、データストリーム整形方法は、実施例８〜実施例１０と同様であり、データストリームスケジューリング方法は、実施例１１〜実施例１３と同様であり、ネットワーク構成方法は、実施例１４〜実施例１５と同様である。本発明の実施例のここでは、詳しい説明を省略する。
【０１６９】
当業者が理解すべきは、上述の実施例による各種方法における全部又は一部のステップは、プログラムによって関連するハードウェアを指令することにより完成され得る。該プログラムは、コンピュータ可読記憶媒体に記憶されてもよく、記憶媒体は、フラッシュメモリ、ROM（Read-Only  Memory、ROM)、RAM（Random  Access  Memory、RAM)、磁気ディスク又は光ディスクなどを含む。
【０１７０】
以上、本発明の実施例によるデータストリーム伝送方法、システム及び設備について詳細に説明したが、以上の実施例の説明は、本発明の方法及びそのコアな思想を理解するためだけのものである。また、当業者が本発明の思想に基づいて、具体的な実施形態及び応用範囲に対して行ったあらゆる変更などは全て、本発明の技術的範囲に属する。
【図１】
0005806394.tif 000002
【図２】
0005806394.tif 000003
【図３】
0005806394.tif 000004
【図４】
0005806394.tif 000005
【図５】
0005806394.tif 000006
【図６】
0005806394.tif 000007
【図７】
0005806394.tif 000008
【図８】
0005806394.tif 000009
【図９】
0005806394.tif 000010
【図１０】
0005806394.tif 000011
【図１１】
0005806394.tif 000012
【図１２】
0005806394.tif 000013